(57)【要約】 【課題】  泥棒の画策行為に対して、不在時でも、住戸への侵入を防止することを目的とする。【解決手段】  住戸番号を指定するテンキー１１と呼出釦１２とを有する集合玄関機と、集合玄関機からの呼出時に通話手段２３を操作して、集合玄関機１０と通話する住宅情報盤２０と、住宅情報盤２０と集合玄関機１０との通話を制御する制御装置３０とを備えたインターホンシステムにおいて、住宅情報盤２０が集合玄関機１０からの呼出に応答しないとき、その集合玄関機１０からの呼出を受けた後、所定時間以内にドアホン４０からの呼出を検出すると、住宅情報盤２０は、防犯手段２６，４２を動作させる。  住宅情報盤は、集合玄関機からの呼出によりタイマ２１を起動して、所定時間を計測している間に、ドアホンからの呼出を検出すると、防犯手段を動作させる。【選択図】図１
2008085560.tif 000002
【特許請求の範囲】
【請求項１】
住戸番号を指定するテンキーと呼出釦とを有する集合玄関機と、該集合玄関機からの呼出時に通話手段を操作して、前記集合玄関機と通話する住宅情報盤と、該住宅情報盤と前記集合玄関機との通話を制御する制御装置とを備えたインターホンシステムにおいて、
前記住宅情報盤が前記集合玄関機からの呼出に応答しないとき、その集合玄関機からの呼出を受けた後、所定時間以内にドアホンからの呼出を検出すると、前記住宅情報盤は、防犯手段を動作させることを特徴とするインターホンシステム。
【請求項２】
前記住宅情報盤は、前記集合玄関機からの呼出により起動して前記所定時間を計測するタイマを有し、前記タイマによる所定時間を計測している間に、前記ドアホンからの呼出を検出すると、前記防犯手段を動作させることを特徴とする請求項１記載のインターホンシステム。
【請求項３】
前記集合玄関機からの呼出に対して、前記住宅情報盤の前記通話手段で応答するとき、前記タイマを停止させることを特徴とする請求項２記載のインターホンシステム。
【請求項４】
前記防犯手段は、住戸の玄関に設けられた施錠装置であることを特徴とする請求項１乃至請求項３いずれかに記載のインターホンシステム。
【請求項５】
前記防犯手段は、ドアホンの操作者に対し、録画を開始する旨を音声で出力する音声警告部であることを特徴とする請求項１乃至請求項３いずれかに記載のインターホンシステム。
【発明の詳細な説明】
【技術分野】
【０００１】
本発明は、インターホンシステムに関するものである。
【背景技術】
【０００２】
従来、マンションなどの集合住宅や戸建の住宅には、インターホンシステムが設けられている。このインターホンシステムは特許文献１に示すように、集合住宅において、集合玄関に集合玄関機が設けられ、居室には住宅情報盤が設けられ、両者は制御装置を介してインターホンにより通話できるようになっている。こうして住戸を訪れる訪問者は、集合玄関機を操作して、希望の住戸を呼び出すことができる。
【特許文献１】特開平９−１８６７７６号公報
【発明の開示】
【発明が解決しようとする課題】
【０００３】
集合住宅のインターホンシステムは、本来、訪問者が居住者を呼び出すために使用するものであるが、泥棒などの侵入者がセールスマンのふりをして、居住者が在宅であるのかどうかを知るためにつかう場合がある。つまり、集合玄関機から特定の住戸を指定して呼出し、応答がなければ、居住者が留守である不在住戸と判断して、家宅の侵入を企てるのである。
【０００４】
そこで、本発明は、このような泥棒の画策行為に対して、不在時でも、住戸への侵入を防止できるようにすることを目的とする。
【課題を解決するための手段】
【０００５】
本発明は、住戸番号を指定するテンキーと呼出釦とを有する集合玄関機と、該集合玄関機からの呼出時に通話手段を操作して、前記集合玄関機と通話する住宅情報盤と、該住宅情報盤と前記集合玄関機との通話を制御する制御装置とを備えたインターホンシステムにおいて、住宅情報盤が前記集合玄関機からの呼出に応答しないとき、その集合玄関機からの呼出を受けた後、所定時間以内にドアホンからの呼出を検出すると、住宅情報盤は、防犯手段を動作させることを特徴とするものである。
【発明の効果】
【０００６】
本発明は以上のように構成され、住戸に人が不在であって、住宅情報盤が集合玄関機からの呼出に応答しないとき、その集合玄関機からの呼出を受けてから所定時間以内に、更にドアホンからの呼出を受けた場合は、住宅情報盤は防犯手段を動作させる。つまり、通常、集合玄関機からの呼出に応答しない場合に、更にドアホンから呼出を受けるという状況は、ほとんどありえず、こういう不自然な呼出は泥棒によるものと考えられるので、防犯手段を動作させ泥棒が住戸に侵入できないようにする。
【０００７】
この防犯手段は、住戸の玄関に設けられた施錠装置であり、住戸のドアを施錠して泥棒が侵入できないようにする。また、この防犯手段は、ドアホンの操作者に対し、録画を開始する旨を音声で出力する音声警告部から構成され、ドアホン操作時に、「録画を開始します」と音声で警告することで、泥棒が侵入しようとするのを防止する。
【発明を実施するための最良の形態】
【０００８】
以下、本発明の実施の形態を、図面を用いて説明する。図１は本発明のインターホンシステムのブロック図である。図１において、１０は集合玄関に設けられる集合玄関機、２０は住戸内に設けられる住宅情報盤、３０は制御装置で、集合玄関機１０と住宅情報盤２０の間に設けられる。集合玄関機１０及び住宅情報盤２０は、通話腺や制御線を介して制御装置３０に接続され、この制御装置３０が、住宅情報盤２０と集合玄関機１０との通話を制御している。４０は住宅情報盤２０に接続されるドアホンである。
【０００９】
集合玄関機１０は、住戸番号を指定するテンキー１１と、呼出釦１２と、図示しないスピーカやマイクからなる通話部１３とを有する。
【００１０】
住宅情報盤２０は、タイマ２１と、スピーカやマイクからなる通話部２２と、通話手段としての通話釦２３と、第１の呼出検出部２４と、第２の呼出検出部２５と、音声警告部２６と、制御部２８とを備えている。住宅情報盤２０は、集合玄関機１０からの呼出時に、通話手段２５を操作して、集合玄関機１０と通話する。
【００１１】
タイマ２１は、集合玄関機１０からの呼出により起動して所定時間を計測する。このタイマ２１は、集合玄関機１０からの呼出により起動するが、この呼出に対して、居住者が住宅情報盤２０の通話釦２３を操作して応答するときには停止する。
【００１２】
第１の呼出検出部２４は集合玄関機１０からの呼出信号を検出するもので、第２の呼出検出部２５はドアホンからの呼出信号を検出するものである。音声警告部２６は、ドアホン４０の操作者に対し、録画を開始する旨を音声で出力するもので、防犯手段の一例である。なお、４２は住戸の玄関に設けられた施錠装置であり、これも防犯手段の一例である。
【００１３】
ここで、防犯手段とは、泥棒などの侵入者が、住戸に入ろうとする阻止するための侵入防止手段であり、また住戸に侵入した泥棒を直ちに追い出すための手段の総称であり、住戸内に設けたセキュリティセンサをＯＮにして動作させることも含むものである。
【００１４】
次に本発明の動作について説明する。ここでは、泥棒が集合玄関機１０を操作して、応答の有無により住戸内に居住者がいるかを確認し、不在であることを確認したら、次に、その住戸の玄関に行って、今度はドアホン４０を操作して、応答の有無から不在であるかどうかを再確認する画策行為を行う場合について説明する。
【００１５】
まずはじめに、泥棒は集合玄関機１０で、テンキー１１を使用して住戸番号、例えば７０３を入力して、呼出釦１２を押して７階の３号室の住戸を呼び出す。集合玄関機１０からの呼出信号は、制御装置３０を介して住宅情報盤２０に送られる。この集合玄関機１０からの呼出を第１の呼出検出部２４が検出すると、制御部２８はタイマ２１を起動させると共に呼出音を出力する。ここで、居住者が在室しており、通話釦２３を操作して呼出に応答すれば、タイマ２１は停止する。
【００１６】
居住者が不在で、呼出に応答しなければ、制御装置３０は、呼出開始から所定時間が経過すると、集合玄関機１０からの呼出信号を取り消す。ここで泥棒は、呼出による応答がないことから、７０３号室の住戸が不在であるものと判断し、集合住宅内に住んでいる人に紛れて、集合玄関のオートドアを通過して７０３号室の住戸へ向かう。
【００１７】
ここで、泥棒は、再度、ドアホン４０を操作することで、住戸内に本当に人がいないかどうかを確認する。図示しないドアホン４０の呼出釦を押すと、ドアホン４０から住宅情報盤２０へ呼出信号が出力され、住宅情報盤２０で呼出音が鳴動する。住宅情報盤２０では、先程、起動したタイマ２１が起動しており、所定時間である３０分を計測している最中である。なお、ここで居住者が在室しており、前述の集合玄関機１０からの呼出には応答しなかったが、今回のドアホン４０からの呼出に通話釦２３を操作して応答すれば、ドアホン４０とインターホン通話が可能であり、タイマ２１は停止して防犯手段が動作することはない。
【００１８】
タイマ２１による所定時間を計測している間に、第２の呼出検出部２５がドアホン４０からの呼出信号を検出すると、制御部２８は防犯手段２６，４２を動作させる。これは、通常、集合玄関機１０からの呼出に住宅情報盤２０が応答しない場合において、その集合玄関機１０の呼出があってからそれ程、時間の経たないうちに、更にドアホン４０から呼出を受けるという状況はほとんどあり得ず、こういう不自然な呼出は泥棒の確認行為によるものと考えられるので、防犯手段２６，４２を動作させて、泥棒が住戸に侵入できないようにするものである。
【００１９】
制御部２８は、まず、住戸の玄関に設けられた施錠装置４２を動作させて、図示しない玄開扉を施錠する。この施錠装置４２は、玄開扉にある普通の施錠装置とは別個に設けられたもので、施錠を二重にすることで、泥棒のピッキング行為などに対して、扉を厳重にして、泥棒が住戸に侵入できないようにする。
【００２０】
また、制御部２８は、音声警告部２６を動作させる。音声警告部２６は、防犯用の音声メッセージを記憶しており、このメッセージをドアホン４０に出力して、ドアホン４０のスピーカから出力する。ここで、音声メッセージの一例は、「録画を開始します」という音声であり、ドアホン４０を操作している泥棒に対して、録画を行っている旨を報知して、侵入行為を行わないように威嚇することで、泥棒が侵入しようとするのを防止する。
【００２１】
このように、住宅情報盤２０が集合玄関機１０からの呼出に応答しないとき、その集合玄関機からの呼出を受けた後、所定時間以内にドアホン４０からの呼出を検出すると、住宅情報盤２０が防犯手段を動作させることにより、泥棒の住戸への侵入を防止できる。なお、集合玄間機の呼出により起動するタイマ２１を設ける代わりに、現在の時刻情報を出力する時計部と、その時刻情報を読み込むメモリとを設け、集合玄関接からの呼出のあった時刻をメモリに記憶して、またドアホンからの呼出のあった時刻も記憶して、両者の時間差が所定の時間内にあるときに、防犯手段を動作させるようにしてもよい。
【図面の簡単な説明】
【００２２】
【図１】本発明のインターホンシステムのブロック図である。
【符号の説明】
【００２３】
１０ 集合玄関機、  １１  テンキー、  １２  呼出釦、  １３  通話部、
２０  住宅情報盤、  ２１  タイマ、  ２２  通話部、  ２３  通話釦、
２４  第１の呼出検出部、  ２５  第２の呼出検出部、  ２６  音声警告部、
２８  制御部、  ３０  制御装置、  ４０  ドアホン、  ４２  施錠装置  ｔｔ
【図１】
2008085560.tif 000003